(57)【要約】【課題】高トルク仕様の回転ダンパにおいてダンパ作用トルクを、大きい可変幅をもって精度よく設定できるようにすること。【解決手段】ロータ室１８に回転可能に配置されるロータ３０を軸線方向に複数個に分割された分割部材３２、３４によって構成し、当該複数個の分割部部材３２、３４の軸線方向の変位によってロータ３０の軸線方向長さが変更される構造にする。【選択図】図１
2013015196.tif 000002
【特許請求の範囲】
【請求項１】
円筒状のロータ室を画定するハウジングと、前記ロータ室に回転可能に配置されたロータと、一端を前記ロータに連結され他端が前記ロータ室外に突出した回転入力軸とを有し、前記ハウジングと前記ロータとの相対的な回転運動に抵抗を与える回転ダンパであって、
前記ロータが軸線方向に複数個に分割された分割部材によって構成され、当該複数個の分割部材は、回転方向には相対変位不能に且つ軸線方向には互いに変位可能に組み合わせてられ、当該複数個の分割部部材の軸線方向の変位によって前記ロータの軸線方向長さが変更可能に設定される回転ダンパ。
【請求項２】
前記ロータは、軸線方向に分割された第１の分割部材と第２の分割部材とにより構成され、前記第１の分割部材と前記第２の分割部材の一方に前記回転入力軸が連結され、前記第１の分割部材は筒状に構成されていて前記第２の分割部材が前記第１の分割部材の筒内に軸線方向に変位可能に挿入され、前記第１の分割部材に対する前記第２の分割部材の挿入量の調節によって前記ロータの軸線方向長さが変更される請求項１に記載の回転ダンパ。
【請求項３】
前記第１の分割部材と前記第２の分割部材には、これらの外周部より外方へ突出してロータ室内を複数個の区画室に区分するベーンが設けられ、互いに係合する前記第１の分割部材と前記第２の分割部材の前記ベーン同士が軸線方向には変位可能にトルク伝達可能に係合しており、前記第１の分割部材と前記第２の分割部材の何れか一方に前記回転入力軸が連結されている請求項２に記載の回転ダンパ。
【請求項４】
前記ハウジングは、一端開口のカップ形状のハウジング本体と、前記ハウジング本体の前記一端開口を塞ぐように前記ハウジング本体に取り付けられた蓋体とにより構成され、前記ハウジング本体に対する前記蓋体の軸線方向の取付位置が変更になっており、当該変更によって前記ロータ室の軸線方向長さが変更される請求項１から３の何れか一項に記載の回転ダンパ。
【請求項５】
前記第１の分割部材と前記第２の分割部材の何れか一方には軸線方向に隔置された複数個の係合凹凸部が形成され、他方に前記係合凹凸部の少なくとも一つに係合する係合部が形成され、前記係合凹凸部と前記係合部との係脱可能な係合によって前記第１の分割部材と前記第２の分割部材とが軸線方向に固定連結される請求項２または３に記載の回転ダンパ。
【発明の詳細な説明】
【技術分野】
【０００１】
本発明は、回転ダンパに関し、特に、作用トルク可変設定型の回転ダンパに関するものである。
【背景技術】
【０００２】
自動車のグローブボックスのリッド等の回動物に用いられる回転ダンパとして、回動物の回動に対して作用する抵抗力（ダンパ作用トルク）を可変設定できる作用トルク可変設定型の回転ダンパが知られている（例えば、特許文献１）。
【０００３】
この回転ダンパは、円筒状のロータ室を画定するハウジングと、ロータ室に回転可能に配置されたロータと、一端をロータに連結され他端がロータ室外に突出した回転入力軸とを有し、ハウジングとロータとの相対的な回転運動に抵抗を与える回転ダンパであって、ハウジングとロータとの軸線方向変位によって、ハウジングに形成されている同心状リンクとロータに形成されている同心状リンクとの相互の入り込み量によって決まる制動表面積を増減することにより、ダンパ作用トルクを可変設定することができる。
【先行技術文献】
【特許文献】
【０００４】
【特許文献１】特開平７−２７１６３号公報
【発明の概要】
【発明が解決しようとする課題】
【０００５】
上述した従来技術による作用トルク可変設定型の回転ダンパは、ハウジングとロータとの相対回転によって当該両者の同心状リンク間に存在する粘性流体に生じる剪断により回転抵抗となるダンパ作用トルクを得るものであるため、絞り抵抗式の回転ダンパほど高いダンパ作用トルクを得ることができず、高トルク仕様の回転ダンパに適用できない。また、ハウジングとロータとに形成されている同心状リンクの入り込み量の増減によって制動表面積を増減することによりダンパ作用トルクを可変設定するものであるため、ダンパ作用トルクの可変幅を大きく設定することに限界があり、ダンパ作用トルクの設定を精度よく行うことも難しい。
【０００６】
本発明が解決しようとする課題は、高トルク仕様の回転ダンパにおいてダンパ作用トルクを、大きい可変幅をもって精度よく設定できるようにすることである。
【課題を解決するための手段】
【０００７】
本発明による回転ダンパは、円筒状のロータ室（１８）を画定するハウジング（１０）と、前記ロータ室（１８）に回転可能に配置されたロータ（３０）と、一端を前記ロータ（３０）に連結され他端が前記ロータ室（１８）外に突出した回転入力軸（３６）とを有し、前記ハウジング（１０）と前記ロータ（３０）との相対的な回転運動に抵抗を与える回転ダンパであって、前記ロータ（３０）が軸線方向に複数個に分割された分割部材（３２、３４）によって構成され、当該複数個の分割部材（３２、３４）は、回転方向には相対変位不能に且つ軸線方向には互いに変位可能に組み合わせられ、当該複数個の分割部部材（３２、３４）の軸線方向の変位によって前記ロータ（３０）の軸線方向長さが変更可能に設定される。
【０００８】
この構造によれば、複数個の分割部材（３２、３４）の軸線方向の変位によってロータ（３０）の軸線方向長さが変更されることにより、ロータ（３０）の軸線方向長さに応じてダンパ作用トルクを連続的に可変設定することができる。この回転ダンパはロータ（３０）の軸線方向長さの変更によってダンパ作用トルクを可変設定するものであるから、ベーン式等の高トルク型回転ダンパに適用でき、しかも、ロータ（３０）の軸線方向長さは、分割部材の軸方向寸法の設定によって制限なく変化幅を大きく設定することができる。これにより、高トルク型回転ダンパにおいてダンパ作用トルクの調節幅を大きく設定することができると共に、ロータ（３０）の表面積はロータ（３０）の有効軸長に概ね比例して変化するので、ダンパ作用トルクの設定を精度よく行うことができる。
【０００９】
本発明による回転ダンパは、好ましい一つの実施形態として、前記ロータ（３０）は、軸線方向に分割された第１の分割部材（３２）と第２の分割部材（３４）とにより構成され、前記第１の分割部材（３２）と前記第２の分割部材（３４）の一方に前記回転入力軸（３６）が連結され、前記第１の分割部材（３２）は筒状に構成されていて前記第２の分割部材（３４）が前記第１の分割部材（３２）の筒内に軸線方向に変位可能に挿入され、前記第１の分割部材（３２）に対する前記第２の分割部材（３４）の挿入量の調節によって前記ロータ（３０）の軸線方向長さが変更される。
【００１０】
この構造によれば、第１の分割部材（３２）に対する第２の分割部材（３４）の挿入量により決まるロータ３０の軸線方向長さに応じてダンパ作用トルクを連続的に可変設定することができる。ロータ（３０）の軸線方向長さは、第１の分割部材（３２）に対する第２の分割部材（３４）の挿入量により決まる構造であるので、これらの軸方向寸法の設定によって制限なく変化幅を大きく設定することが可能である。これにより、回転ダンパのダンパ作用トルクの調節幅を大きく設定することができると共に、ロータ（３０）の表面積はロータ（３０）の有効軸長に概ね比例して変化するので、ダンパ作用トルクの調節を精度よく行うことができる。
【００１１】
本発明による回転ダンパは、好ましくは、更に、前記第１の分割部材（３２）と前記第２の分割部材（３４）には、これらの外周部より外方へ突出してロータ室（１８）内を複数個の区画室（１８Ａ、１８Ｂ、１８Ｃ、１８Ｄ）に区画するベーン（４４、４６）が設けられ、互いに係合する前記第１の分割部材（３２）と前記第２の分割部材（３４）の前記ベーン同士は軸線方向には変位可能にトルク伝達可能に係合しており、前記第１の分割部材（３２）と前記第２の分割部材の何れか一方に前記回転入力軸（３６）が連結されている。
【００１２】
この構造によれば、前記第１の分割部材（３２）と第２の分割部材（３４）との回転方向の連結がロータ室（１８）内を複数個の区画室（１８Ａ、１８Ｂ、１８Ｃ、１８Ｄ）に区分するベーン（４４、４６）によって行われ、ベーン（４４、４６）が第１の分割部材（３２）と第２の分割部材（３４）とをトルク伝達可能に連結する構造を兼ねているから、第１の分割部材（３２）と第２の分割部材（３４）とをトルク伝達可能に連結する構造を別途設ける必要がなくなり、構造が簡単になる。
【００１３】
本発明による回転ダンパは、好ましい一つの実施形態として、前記ハウジング（１０）は、一端開口のカップ形状のハウジング本体（１２）と、前記ハウジング本体（１２）の前記一端開口を塞ぐように前記ハウジング本体（１２）に取り付けられた蓋体（１４）とにより構成され、前記ハウジング本体（１２）に対する前記蓋体（１４）の軸線方向の取付位置が変更になっており、当該変更によって前記ロータ室（１８）の軸線方向長さが変更される。
【００１４】
この構造によれば、ハウジング本体（１２）に対する蓋体（１４）の軸線方向の取付位置の変更によってロータ室（１８）の軸線方向長さが変更され、ハウジング本体（１２）を交換（変更）することなくロータ室（１８）の軸線方向長さが、ロータ（３０）の軸線方向長さに適合したものになる。
【００１５】
本発明による回転ダンパは、好ましくは、更に、前記第１の分割部材（３２）と前記第２の分割部材（３４）の何れか一方には軸線方向に隔置された複数個の係合凹凸部（３８）が形成され、他方に前記係合凹凸部（３８）の少なくとも一つに係合する係合部（４２）が形成され、前記係合凹凸部（３８）と前記係合部（４２）との係脱可能な係合によって前記第１の分割部材（３２）と前記第２の分割部材（３４）とが軸線方向に固定連結される。
【００１６】
この構造によれば、係合凹凸部（３８）と係合部（４２）との係合によってクリックストップ式にロータ（３０）の軸線方向長さが設定される。更には、係合部（４２）と係合凹凸部（３８）との係合は、係脱可能であるから、ロータ（３０）の有効な軸線方向長さの設定を再設定することが可能である。
【発明の効果】
【００１７】
本発明による回転ダンパは、複数個の分割部材の軸線方向の変位、つまり、相対位置変更によってロータ３０の軸線方向長さを変更される。これにより、ロータの軸線方向長さに応じてダンパ作用トルクを連続的に可変設定することができる。この回転ダンパはロータ３０の軸線方向長さの変更によってダンパ作用トルクを可変設定するものであるから、ベーン式等の高トルク型回転ダンパに適用でき、ロータの軸線方向長さは、分割部材の軸方向寸法の設定によって制限なく変化幅を大きく設定することができるから、高トルク型回転ダンパにおいてダンパ作用トルクの調節幅を大きく設定することができる。この回転ダンパの更なる利点として、ロータの表面積はロータの有効軸長に概ね比例して変化するので、ダンパ作用トルクの設定を精度よく行うことができる。
【図面の簡単な説明】
【００１８】
【図１】本発明による回転ダンパの一つの実施形態を示す分解斜視図。
【図２】本実施形態による回転ダンパの最大軸長状態での縦断面図。
【図３】本実施形態による回転ダンパの最小軸長状態での縦断面図。
【図４】図２の線ＩＶ−ＩＶに沿った断面図。
【図５】本発明による回転ダンパの他の実施形態を示す断面図（図２の線ＩＶ−ＩＶに沿った断面図に相当）。
【図６】本発明による回転ダンパの他の実施形態を示す縦断面図。
【発明を実施するための形態】
【００１９】
本発明による回転ダンパの一つの実施形態を、図１〜図４を参照して説明する。
【００２０】
回転ダンパは外郭をなすハウジング１０を有する。ハウジング１０は、一端（上端）が開口（開口部１２Ａ）した有底の円筒形状（カップ形状）のハウジング本体１２と、ハウジング本体１２の開口部１２Ａを塞ぐようにハウジング本体１２の一端側に取り付けられた円盤状の蓋体１４とにより構成されたハウジング１０を有する。
【００２１】
ハウジング本体１２は内側に円筒状のロータ室１８を画定する。ハウジング本体１２の円筒状の内周壁部１２Ｂには、ロータ室１８の中心軸線周りに互いに１８０度回転変位した位置に、当該内周壁部１０Ａより径方向内方に突出した隔壁部１０Ｃ、１０Ｄ（図４参照）が形成されている。ハウジング本体１２と蓋体１４との嵌合部にはロータ室１８を気密室にするためのＯリング２０が取り付けられている。
【００２２】
ロータ室１８には、粘性流体としてシリコンオイル等を充填される。この粘性流体の充填は、ハウジング１０に対する蓋体１４の固定と、後述するロータ３０の組み付け後に、蓋体１４に形成された充填口（図示省略）よりロータ室１８内一杯（満杯）に注入することにより行われてよく、充填完了後に充填口が気密に塞がれればよい。
【００２３】
ハウジング本体１２に対する蓋体１４の固定は、ハウジング本体１２と蓋体１４との嵌合部に形成された円環凹溝２２と円環凸部２４との嵌合により行われている。なお、ハウジング本体１２に対する蓋体１４の固定は、この構造に限られるものでなく、他の締結具を用いたもの、接着、溶着等によって行われてもよい。
【００２４】
ロータ室１８には、円筒形状のロータ３０が、同心配置で、自身の中心軸線周りに回転可能に配置されている。ロータ３０は、軸線方向に２分割された第１の分割部材３２と第２の分割部材３４とにより構成されている。
【００２５】
図で見て下側に位置する第１の分割部材３２は有底円筒形状をなしている。第１の分割部材３２の底部３２Ａの中央部には中心突部３２Ｂが下方へ向けて突出形成されている。中心突部３２Ｂは、ハウジング本体１２の底部１２Ｅの中央部に形成された軸受凹部１２Ｆに回転可能に係合している。
【００２６】
図で見て上側に位置する第２の分割部材３４は、円筒部３４Ａと、円筒部３４Ａの上端に接合された円形フランジ部３４Ｂとにより構成され、円筒部３４Ａが第１の分割部材３２の円筒部３２Ｃの内側に軸線方向に変位可能に挿入されている。なお、第１の分割部材３２と第２の分割部材３４との間に径方向のがた付きがないよう、第１の分割部材３２の円筒部３２Ｃの内周面と第２の分割部材３４の円筒部３４Ａの外周面との間には径方向の間隙がないことが好ましい。このため、第１の分割部材３２の円筒部３２Ｃの内径は第２の分割部材３４の円筒部３４Ａの外径に等しい寸法設定になっている。
【００２７】
第２の分割部材３４の外周面には複数個の係合凹凸部３８が軸線方向に等ピッチで隔置されて形成されている。第１の分割部材３２には両側に形成されたスリット３２Ｄによって円筒部３２Ｃと区分された弾性爪片４０が形成されている。弾性爪片４０の遊端（先端）には、係合凹凸部３８の一つに選択的に係脱可能に係合する係合部４２が一体形成されている。係合部４２が係合凹凸部３８の一つに選択的に係合することにより、第１の分割部材３２と第２の分割部材３４とが軸線方向に相対位置変更に、つまりロータ３０の軸線方向長さを変更可能に軸線方向に互いに固定連結される。
【００２８】
ロータ３０は、第１の分割部材３２に対する第２の分割部材３４の軸線方向（上下方向）の挿入量の変更により、ロータ室２８内においてダンパ作用を奏する有効な軸線方向長さを変更される。この変更に伴い係合部４２が係合する係合凹凸部３８が変更され、クリックストップ式にロータ３０の有効な軸線方向長さが変更可能に設定される。係合部４２と係合凹凸部３８との係合は、係脱可能であるから、ロータ３０の有効な軸線方向長さの設定を再設定することが可能である。
【００２９】
なお、係合部４２、係合凹凸部３８は、第１の分割部材３２、第２の分割部材３４の中心軸線周りに１８０度回転変位した２箇所に形成されているが、これらは後述する第１のベーン４４、第２のベーン４６とは異なる回転位置にある。
【００３０】
第１の分割部材３２の円筒部３２Ｃには、中心軸線周りに１８０度回転変位した２箇所に各々、円筒部３２Ｃの内側より見て径方向外方へ突出した第１のベーン４４が一体形成されている。第１のベーン４４は、周方向に小さい間隔をおいて設けられた２枚のベーンからなり、２枚のベーン間に軸線方向に長いスリット４５を画定している。
【００３１】
第２の分割部材３４の円筒部３４Ａには、中心軸線周りに１８０度回転変位した２箇所に各々、軸線方向に長い板状の第２のベーン４６が径方向外方へ突出して一体形成されている。
【００３２】
第１のベーン４４と第２のベーン４６はそれぞれ軸線方向（母線方向）に直線的に延在しており、第２のベーン４４が第１のベーン４６のスリット４５内に軸線方向に変位可能に差し込まれている。第１のベーン４４と第２のベーン４６との係合は、滑りキー係合と同等で、第１の分割部材３２と第２の分割部材３４との間にトルク伝達可能な係合である。なお、第１のベーン４４と第２のベーン４６とが、がたなく回転方向に連結されるよう、第２のベーン４６の板厚は、スリット４５の幅に等しいことが好ましい。
【００３３】
図４に示されているように、第１の分割部材３２の円筒部３２Ｃの外径は隔壁部１０Ｃ、１０Ｄの先端部によるロータ室１８内の内径に等しく、円筒部３２Ｃの外周面と隔壁部１０Ｃ、１０Ｄの先端面（内周面）との間に径方向の隙間がない寸法設定になっている。これにより、ロータ室１８は実質的に円環状の空間になり、隔壁部１０Ｃと１０Ｄとによって周方向に２分割される。
【００３４】
第１のベーン４４と第２のベーン４６との組み合わせによりなるベーンの外径は、隔壁部１０Ｃ、１０Ｄ以外のロータ室１８の内径に等しく、ベーンの先端面（外周面）とロータ室１８の内周面との間に径方向の隙間がない寸法設定になっている。これにより、第１のベーン４４と第２のベーン４６との組み合わせによりなる２組のベーンは、２分割されたロータ室１８内に一つずつ存在して２分割されたロータ室１８を周方向に更に２分割している。
【００３５】
このようにして、第１のベーン４４と第２のベーン４６との組み合わせによる２組のベーンと、隔壁部１０Ｃ、１０Ｄとは、ロータ室１８内を周方向に４個の区画室１８Ａ、１８Ｂ、１８Ｃ、１８Ｄに区画している。
【００３６】
第１のベーン４４と第２のベーン４６とは、上述のように、ロータ室１８を周方向に区画する区画壁をなすと同時に、第１の分割部材３２と第２の分割部材３４とをトルク伝達可能に連結する構造をなす。このようにして第１の分割部材３２と第２の分割部材３４とは、第１のベーン４４と第２のベーン４６との滑り係合により、軸線方向には変位可能であるが、互いに相対回転不能にトルク伝達可能で連結される。これにより、第１の分割部材３２と第２の分割部材３４とをトルク伝達可能に連結する構造を別途設ける必要がなくなり、構造が簡単になる。
【００３７】
第１の分割部材３２の円筒部３２Ｃの外周面には、２箇所の第１のベーン４４間の全域に周方向に延在する周溝４７が形成されている。一方の周溝４７は隔壁部１０Ｃの先端面との間に、隔壁部１０Ｃの両側にある区画室１８Ａと１８Ｂとを連通するオリフィス通路（絞り通路）４７Ａを画定している。他方の周溝４７は隔壁部１０Ｄの先端面との間に、隔壁部１０Ｄの両側にある区画室１８Ｃと１８Ｄとを連通するオリフィス通路（絞り通路）４７Ｂを画定している。周溝４７は、本実施形態では、図４で見てロータ３０の時計廻り方向に進むに従って溝幅が小さくなっている。
【００３８】
円形フランジ部３４Ｂの上面中央部には一端（下端）を連結された形態で回転入力軸（ロータ軸）３６が一体形成されている。回転入力軸３６は、蓋体１４の中央部に貫通形成された中心孔１４Ａを回転可能に貫通し、他端（上端）がロータ室１８外に突出している。回転入力軸３６が中心孔１４Ａを貫通する部分には、ロータ室１８の気密を保つためのＯリング３７が取り付けられている。
【００３９】
このようにして、ロータ３０は、中心突部３２Ｂと軸受凹部１２Ｆとの嵌合と、回転入力軸３６と中心孔１４Ａとの嵌合によって、ロータ室１８と同心にハウジング１０より回転可能に支持されている。例えば、ハウジング１０が固定され、回転入力軸３６によってロータ３０に回転力が与えられると、ロータ３０がロータ室１８内において粘性流体中を回転する。
【００４０】
図４は、１８０度回転変位の２個の第１のベーン４４が、各々、隔壁部１０Ｃ、１０Ｄの一方の壁面に当接した初期位置（時計廻り方向の最大回転位置）にある状態を示している。初期位置よりロータ３０がハウジング１０に対して反時計廻り方向に回転すると、第１のベーン４４、第２のベーン４６より回転方向進み側にある区画室１８Ａ、１８Ｃの容積が減少し、それに伴い第１のベーン４４、第２のベーン４６より回転方向遅れ側にある区画室１８Ｂ、１８Ｄの容積が増大する。
【００４１】
これにより、ハウジング１０に対するロータ３０の反時計廻り方向に回転に伴って区画室１８Ａの粘性流体がオリフィス通路４７Ａを通過して区画室１８Ｂへ流れると共に、区画室１８Ｃの粘性流体がオリフィス通路４７Ｂを通過して区画室１８Ｄへ流れ、粘性流体がオリフィス通路４７Ａ、４７Ｂを通過する際に絞り流れ抵抗が生じる。この絞り流れ抵抗によってロータ３０の回転運動に抵抗が与えられ、ダンパ作用が生じる。
【００４２】
この回転運動に対する抵抗、つまり、ダンパ作用トルクは、ロータ室１８に封入された粘性流体の粘度、オリフィス通路４７Ａ、４７Ｂの通路断面積、区画室１８Ａ〜１８Ｄの容積（粘性流体の体積）により決まり、粘性流体の粘度、オリフィス通路４７Ａ、４７Ｂの通路断面積を一定とすると、区画室１８Ａ〜１８Ｄの容積の増大に比例して増大する。区画室１８Ａ〜１８Ｄの容積の増大に比例してダンパ作用トルクが増大することは、区画室１８Ａ〜１８Ｄの容積が大きいほど、単位回転角当たりの粘性流体のオリフィス通路通過量が増加し、粘性流体がオリフィス通路４７Ａ、４７Ｂを通過する際の単位回転角当たりの絞り流れ抵抗が増大するからである。
【００４３】
この回転ダンパは、絞り抵抗式の回転ダンパであり、ハウジングとロータとの相対回転により当該両者の同心状リンク間に存在する粘性流体に生じる剪断によってダンパ作用トルクを得るものに比して高いダンパ作用トルクを得ることができる。
【００４４】
なお、本実施形態では、周溝４７の溝幅が図４で見てロータ３０の時計廻り方向に進むに従って小さくなっているので、ロータ３０の反時計廻り方向の回転が進むに従って、オリフィス通路４７Ａ、４７Ｂの通路断面積が減少し、ダンパ作用トルクが漸次増大する。この作用は周溝４７の深さ設定でも得られるが、必須ではない。
【００４５】
図２は、第１の分割部材３２に対する第２の分割部材３４の挿入量が最も少なく、ロータ３０の有効な軸線方向長さ（有効軸長）が最大値（最大軸長）に設定され、予め準備された軸長の異なるハウジング本体１２のうち、最長のものが用いられて区画室１８Ａ〜１８Ｄの容積が最大容積になっていることにより、最大値のダンパ作用トルクが得られる状態を示している。これに対し、図３は、第１の分割部材３２に対する第２の分割部材３４の挿入量が最も多く、ロータ３０の有効軸長が最小値（最小軸長）に設定され、予め準備された軸長の異なるハウジング本体１２のうち、最短のものが用いられて区画室１８Ａ〜１８Ｄの容積が最小容積になっていることにより、最小値のダンパ作用トルクが得られる状態を示している。
【００４６】
これにより、本実施形態の回転ダンパは、第１の分割部材３２に対する第２の分割部材３４の挿入量により決まるロータ３０の有効軸長に応じて、ロータ３０を共通にして、ロータ３０の有効軸長に適合した軸長のハウジング本体１２を選択使用するだけで、ダンパ作用トルクを、上述の最大値と最小値の間で連続的に変化する値をもって、可変設定することができる。
【００４７】
ロータ３０の有効軸長は、第１の分割部材３２に対する第２の分割部材３４の挿入量により決まる構造であるので、これらの軸方向寸法の設定によって制限なく変化幅を大きく設定することが可能である。これにより、回転ダンパのダンパ作用トルクの可変幅を大きく設定することができる。また、区画室１８Ａ〜１８Ｄの容積は、ロータ３０の有効軸長に比例して変化するので、ダンパ作用トルクの設定を精度よく行うことができる。
【００４８】
このようにして、本実施形態の回転ダンパによれば、絞り抵抗式による高トルク仕様の回転ダンパにおいて、ダンパ作用トルクを大きい可変幅をもって精度よく設定することができる。
【００４９】
つぎに、本発明による回転ダンパの他の実施形態を、図５を参照して説明する。なお、図５において、図４に対応する部分は、図４に付した符号と同一の符号を付けて、その説明を省略する。
【００５０】
本実施形態の回転ダンパは、多回転型のものであり、ハウジング本体１２に前述の実施形態における隔壁部１０Ｃ、１０Ｄが省略されている。
【００５１】
第１のベーン４４と第２のベーン４６との組み合わせによりなるベーンの外径は、ロータ室１８の内径より小さい。これにより、第１のベーン４４と第２のベーン４６との組み合わせによりなるベーンの先端面（外周面）とロータ室１８の内周面との間に、径方向隙間によるオリフィス通路４９が画成される。
【００５２】
本実施形態では、ハウジング１０に対するロータ３０の回転によってロータ室１８の粘性流体がオリフィス通路４９を流れることにより絞り流れ抵抗が生じ、ダンパ作用が生じる。
【００５３】
本実施形態でも、第１の分割部材３２に対する第２の分割部材３４の挿入量により決まるロータ３０の有効軸長に応じてロータ室１８の容積が変化し、ダンパ作用トルクを可変設定することができる。なお、本実施形態では、ロータ３０の有効軸長に応じてオリフィス通路４９の長さ（ロータ室１８の母線方向の長さ）が変化し、これに応じてオリフィス通路４９の通路断面積が変化することによってもダンパ作用トルクが変化する。
【００５４】
本発明による回転ダンパのもう一つの他の実施形態を、図６を参照して説明する。なお、図６において、図５に対応する部分は、図５に付した符号と同一の符号を付けて、その説明を省略する。
【００５５】
本実施形態では、蓋部材１４がねじ部２６によってハウジング本体１２に取り付けられ、ハウジング本体１２に対する蓋部材１４のねじ込み量によってロータ室１８の軸線方向長さ（軸長）が変化する構造になっている。
【００５６】
また、第１の分割部材３２と第２の分割部材３４とを所定軸長をもって連結するための係合凹凸部３６と係合部４２はなく、第１の分割部材３２と第２の分割部材３４の内筒部に、当該両者を軸線方向に引き離す方向に付勢する圧縮コイルばね４８が設けられている。
【００５７】
この構造によれば、圧縮コイルばね４８のばね力によって第２の分割部材３４のフランジ部３４Ｂが蓋部材１４の下底面に押し付けられ、蓋部材１４のハウジング本体１２に対するねじ込み量に応じてロータ室１８の軸長が変化することに応じて、圧縮コイルばね４８の撓みを伴って第１の分割部材３２に対する第２の分割部材３４の挿入量が変化し、ロータ３０の有効な軸線方向長さ（軸長）がロータ室１８の軸長変化に追従して変化する。
【００５８】
これにより、ハウジング本体１２を交換、変更することなくロータ室１８の軸線方向長さが、ロータ３０の有効軸長に適合したものになる。
【００５９】
そして、本実施形態では、蓋部材１４のハウジング本体１２に対するねじ込み量の調節だけで、上述の実施形態と同様に、ダンパ作用トルクの設定を精度よく行うことができる。
【００６０】
以上で具体的実施形態の説明を終えるが、本発明の態様は上記実施形態に限られるものではなく、本発明の趣旨を逸脱しない範囲であれば適宜変更可能である。例えば、ロータ３０が固定で、ハウジング１０がロータ３０に対して回転してもよい。また、ロータ３０は２個に分割されたものに限られることはなく、それ以上の複数個に分割されたものであってもよい。また、第１の分割部材３２と第２の分割部材３４との軸線方向の連結は、係合凹凸部３８と係合部４２との係合によるものに限られることなく、ピン係合や接着、溶着であってもよい。
【００６１】
また、上記実施形態に示した構成要素は必ずしも全てが必須なものではなく、本発明の趣旨を逸脱しない限りにおいて適宜取捨選択することが可能である。
【符号の説明】
【００６２】
１０  ハウジング
１２  ハウジング本体
１４  蓋体
１８  ロータ室
２６  ねじ部
３０  ロータ
３２  第１の分割部材
３４  第２の分割部材
３６  入力回転軸
３８  係合凹凸部
４２  係合部
４４  第１のベーン
４６  第２のベーン
４７Ａ、４７Ｂ  オリフィス通路
４８  圧縮コイルばね
４９  オリフィス通路
【図１】
2013015196.tif 000003
【図２】
2013015196.tif 000004
【図３】
2013015196.tif 000005
【図４】
2013015196.tif 000006
【図５】
2013015196.tif 000007
【図６】
2013015196.tif 000008